(57)【要約】【課題】糸３への墨汁の付着を促すために押圧部材１３６で墨汁浸透部材４を押圧した時の墨漏れの発生や、糸３との摩擦による墨汁浸透部材４の損傷を有効に防止する。【解決手段】墨室内の墨汁浸透部材４が、押圧部材１３６により圧縮可能であって糸３と接触された第一墨汁浸透部材４１と、前記押圧部材１３６に圧縮されない位置にあって前記第一墨汁浸透部材４１に接触された第二墨汁浸透部材４２と、第一墨汁浸透部材４１の両側に配置され墨室の両端の隔壁１１ｃ，１１ｄの糸挿通部１１ｅ，１１ｆを覆う第三墨汁浸透部材４３と、からなる。【選択図】図５
2006212761.tif 000002
【特許請求の範囲】
【請求項１】
ケースに、糸巻が回転可能に収納された糸巻室と、複数の墨汁浸透部材が収納された墨室が形成されると共に、前記糸巻から引き出された糸を前記墨汁浸透部材に圧接させる押圧部材が設けられ、前記墨汁浸透部材が、前記押圧部材により圧縮可能であって前記糸と接触された第一墨汁浸透部材と、前記押圧部材に圧縮されない位置にあって前記第一墨汁浸透部材に接触された第二墨汁浸透部材と、からなることを特徴とする墨壷。
【請求項２】
墨室の両端の隔壁に形成された糸挿通部を覆う第三墨汁浸透部材が、第一墨汁浸透部材の両側に配置されたことを特徴とする請求項１に記載の墨壷。
【請求項３】
第一墨汁浸透部材が、押圧部材により圧縮を受けた状態において、少なくともその一部が第二墨汁浸透部材と接触された状態にあることを特徴とする請求項１に記載の墨壷。
【請求項４】
押圧部材の先端が、押圧方向及び墨室内での糸の移動方向に対して略直交する方向に延びるピンからなることを特徴とする請求項１に記載の墨壷。
【発明の詳細な説明】
【技術分野】
【０００１】
本発明は、木工あるいは建築において、墨汁を付着させた糸を張設して線引きを行う墨壷に関する。
【背景技術】
【０００２】
木工や建築において墨線を打つ線引き作業で使用される墨壷は、基本的にはケース内に糸巻及び墨汁浸透部材が設けられ、糸巻に巻かれた糸が、墨汁を沁み込ませた墨汁浸透部材に接触しながら、ケースの一端に形成された糸繰り出し口から外部へ繰り出されるようになっている。また、糸の先端には、この糸を墨打ち起点に止着するためのカルコが繋着されている。
【０００３】
墨壷による墨打ち作業においては、まず、カルコを相手材の墨打ち起点に止着してからケースを移動させると、これに伴い、糸巻から引き出される糸には、墨汁浸透部材との接触によって墨汁が付着するので、この糸に適当なテンションを与えた状態で、墨打ち対象面に向けて手指ではじくことによって、直線状の墨線を転写することができる。
【０００４】
従来、この種の墨壷には、下記の特許文献に開示されているように、ケースの墨室内に、糸巻から引き出されてこの墨室を通る糸を上下から挟み込むように二枚の墨汁浸透部材を収納し、この墨汁浸透部材を押圧することによって糸と墨汁浸透部材を圧接させる押圧部材を設けたものがある。このような構造とすることによって、墨汁浸透部材に含浸された墨汁の残量が少なくなった場合でも、糸に墨汁を十分に付着させることができる（例えば特許文献１参照）。
【特許文献１】特開２００２−６６９６４号公報
【発明の開示】
【発明が解決しようとする課題】
【０００５】
ところが、上記従来の墨壷は、押圧部材によって、二枚の墨汁浸透部材をその上から押圧する構造であるため、墨汁浸透部材全体が圧縮されてその体積が減少することになる。したがって、墨汁浸透部材に含浸された墨汁量が飽和状態の時などに、過って押圧部材を押動した場合は、墨汁浸透部材から大量の墨汁が滲み出して、糸導出孔などから外部へ墨汁の一部が漏れ出すといった不具合が発生するおそれがある。
【０００６】
また、二枚の墨汁浸透部材がその上から押圧部材によって圧縮されるため、墨汁浸透部材が、その間を通る糸との摩擦によって切れてしまい、墨汁浸透部材が例えば綿などからなるものである場合、表面の保護層が糸との摩擦によって切れると、内部の繊維がほつれて糸に毛玉状に絡み付き、糸の巻き戻し不良の原因となるおそれがある。
【０００７】
本発明は、以上のような点に鑑みてなされたものであって、その技術的課題は、糸への墨汁の付着を促すために押圧部材で墨汁浸透部材を押圧した時の墨漏れの発生や、糸との摩擦による墨汁浸透部材の損傷を有効に防止することにある。
【課題を解決するための手段】
【０００８】
上述した技術的課題を有効に解決するための手段として、請求項１の発明に係る墨壷は、ケースに、糸巻が回転可能に収納された糸巻室と、複数の墨汁浸透部材が収納された墨室が形成されると共に、前記糸巻から引き出された糸を前記墨汁浸透部材に圧接させる押圧部材が設けられ、前記墨汁浸透部材が、前記押圧部材により圧縮可能であって前記糸と接触された第一墨汁浸透部材と、前記押圧部材に圧縮されない位置にあって前記第一墨汁浸透部材に接触された第二墨汁浸透部材と、からなるものである。
【０００９】
また、請求項２の発明に係る墨壷は、請求項１に記載の構成において、墨室の両端の隔壁に形成された糸挿通部を覆う第三墨汁浸透部材が、第一墨汁浸透部材の両側に配置されたものである。
【００１０】
また、請求項３の発明に係る墨壷は、請求項１に記載の構成において、第一墨汁浸透部材が、押圧部材により圧縮を受けた状態において、少なくともその一部が第二墨汁浸透部材と接触された状態にあるものである。
【００１１】
また、請求項４の発明に係る墨壷は、請求項１に記載の構成において、押圧部材の先端が、押圧方向及び墨室内での糸の移動方向に対して略直交する方向に延びるピンからなるものである。
【発明の効果】
【００１２】
請求項１の発明に係る墨壷によれば、押圧部材は、墨室に収納された複数の墨汁浸透部材のうち、第一墨汁浸透部材のみを押圧するため、墨汁浸透部材全体が圧縮されることはなく、したがって、墨汁浸透部材に含浸された墨汁量が飽和状態の時などに、過って押圧部材を押動しても、墨汁浸透部材から滲み出した墨汁の漏れ出しを有効に防止することができる。また、押圧部材の押動によって糸が第一及び第二墨汁浸透部材間に挟圧されることがないため、糸との摩擦による墨汁浸透部材の損耗が有効に防止される。
【００１３】
請求項２の発明に係る墨壷によれば、押圧部材で圧縮された第一墨汁浸透部材から滲み出した墨汁は、その両側に配置された第三墨汁浸透部材に含浸して保持されるので、糸挿通部からの墨汁の漏れ出しを、一層確実に防止することができる。
【００１４】
請求項３の発明に係る墨壷によれば、押圧部材で第一墨汁浸透部材を圧縮しても、その一部は非圧縮の第二墨汁浸透部材と接触されているので、圧縮された第一墨汁浸透部材から滲み出す墨汁の一部は、毛細管現象によって第二墨汁浸透部材に保持され、したがって糸挿通部からの墨汁の漏れ出しを、一層確実に防止することができる。
【００１５】
請求項４の発明に係る墨壷によれば、押圧部材の先端がピンからなるものであるため、第一墨汁浸透部材に対する押圧面積が小さく、したがって第一墨汁浸透部材の圧縮変形量が小さくなり、墨汁の滲み出しを少なくして、これによっても糸挿通部からの墨汁の漏れ出しを有効に防止することができる。
【発明を実施するための最良の形態】
【００１６】
以下、本発明に係る墨壷の好ましい実施の形態について、図面を参照しながら説明する。図１は本発明に係る墨壷の好ましい実施の形態を示す平面図、図２は図１におけるII方向の側面図、図３は図１におけるIII−III’断面図、図４は図１の墨壷における糸巻カバー、墨室カバー及び糸導出端部カバーを開いた状態を示す平面図、図５は図３の要部拡大断面図、図６は図２におけるVI−VI’断面図、図７は図４におけるVII−VII’断面図、図８は第一及び第三墨汁浸透部材の装着構造を示す斜視図、図９は第二墨汁浸透部材の装着構造を示す斜視図、図１０は押圧部材を押し下げた状態を図５と対応する部分を切断して示す断面図、図１１は押圧部材を押し下げた状態を図６と対応する部分を切断して示す断面図、図１２は使用状態の説明図である。
【００１７】
まず図１、図２及び図３において、参照符号１は、ＡＢＳ等の合成樹脂材で成形されたケースである。このケース１は、円形の皿状の糸巻収納部１１Ａと、その前方（図２及び図３における右側）の墨室形成部１１Ｂと、更にその前方の糸導出端部１１Ｃが形成されたケース本体１１を有する。そして、糸巻収納部１１Ａの上部開口には、糸巻カバー１２が着脱可能に設けられ、墨室形成部１１Ｂの上部開口には、墨室カバー１３がヒンジ１３１を介して揺動可能に設けられ、糸導出端部１１Ｃの上部開口には、糸導出端部カバー１４が、墨室カバー１３のヒンジ１３１と同じ側に設けられたヒンジ１４１を介して揺動可能に設けられている。
【００１８】
糸巻カバー１２は、糸巻２をケース本体１１における糸巻収納部１１Ａ内に回転自在に保持するものであって、後端に形成された掛合部１２１と、図１、図２及び図４に示されるように、前記掛合部１２１と反対側の半筒状端部１２ａにそれぞれヒンジ１２２ａを介して左右一対設けられた掛合爪１２２とを有する。そして、この糸巻カバー１２は、図３に示されるように、掛合部１２１を、糸巻収納部１１Ａの後端に突設された掛合部１１ａに掛合すると共に、図２に示されるように、一対の掛合爪１２２を、糸巻収納部１１Ａと墨室形成部１１Ｂの間の外側面に形成された不図示の一対の掛合凹部にそれぞれ掛合させることによって、糸巻収納部１１Ａの上側に固定され、この糸巻収納部１１Ａとの間に糸巻室１０Ａを画成する。
【００１９】
図３及び図４に示されるように、糸巻収納部１１Ａの外周の上面には、この糸巻収納部１１Ａと糸巻カバー１２との衝合面間に介在されるゴム材からなるパッキン１１１が周設されている。また、図３及び図４に示されるように、ケース本体１１の墨室形成部１１Ｂにおける糸巻収納部１１Ａ側の隔壁１１ｃの上面、及び糸導出端部１１Ｃ側の隔壁１１ｄの上面には、ゴム状弾性材料からなるパッキン１１２，１１３が設けられると共に、このパッキン１１２，１１３を通る糸道スリット１１ｅ，１１ｆが形成されている。なお、糸道スリット１１ｅ，１１ｆは、請求項２に記載された糸挿通部に相当する。
【００２０】
糸巻２は、外周に糸３を巻回する糸巻本体２１と、この糸巻本体２１の内周に収納されて一端が糸巻本体２１に固定されると共に他端が後述のばね芯５１に固定されて糸巻本体２１を糸３の巻き取り回転方向に付勢する渦巻きばね２２と、糸巻本体２１の軸方向一側に形成され糸巻カバー１２の内周の円形窓１２ｂから外部へ露出した巻き取りハンドル２３とからなり、巻き取りハンドル２３の外側面には、手指で回転操作するための複数の指掛け凹部２３ａが形成されている。これらの部材はＡＢＳ等の合成樹脂材で成形されており、図４に示されるように、糸巻２は、糸巻カバー１２をケース本体１１の糸巻収納部１１Ａから取り外すことによって、糸巻室１０Ａ内から取り出すことができる。
【００２１】
図４に示されるように、糸巻２における糸巻本体２１の外側面の外周部には、多数の被係止突起２４ａが等位相間隔で突設されている。一方、糸巻カバー１２の半筒状端部１２ａには、糸巻２の回転による前記被係止突起２４ａの円周状移動経路へ向けて進退可能なロック部材１２３が設けられており、このロック部材１２３には、その進退動作を手指で操作するための操作部１２４が連結されている。すなわち、手指により操作部１２４を操作して、被係止突起２４ａの移動経路上にロック部材１２３を進出させることによって、多数の被係止突起２４ａのいずれかと干渉するので、糸巻２の回転をロックすることができる。
【００２２】
図２、図６及び図７に示されるように、墨室カバー１３の揺動端部（ヒンジ１３１と反対側の端部）には、掛合爪１３２が形成されている。この掛合爪１３２は、ケース本体１１における墨室形成部１１Ｂの外側面に形成された掛合凹部１１ｂにスナップ的に掛合されることによって、図６に示されるように、墨室カバー１３を閉塞状態に固定するものである。
【００２３】
図４、図５及び図６等に示されるように、墨室カバー１３の外周下縁には、ゴム状弾性材料からなるパッキン１３３が周設され、ケース本体１１における墨室形成部１１Ｂの上面に密接可能となっている。そして、墨室形成部１１Ｂと墨室カバー１３によって画成される墨室１０Ｂ内には、スポンジ、脱脂綿あるいはフェルト等からなり、好ましくは、墨汁の浸透保持作用に優れたセルロースの繊維からなる墨汁浸透部材４が着脱可能に充填されている。
【００２４】
墨汁浸透部材４は、図４及び図５に示されるように、ケース本体１１の墨室形成部１１Ｂ内に配置された第一墨汁浸透部材４１と、墨室カバー１３の内側に配置された第二墨汁浸透部材４２と、第一墨汁浸透部材４１の両側に配置された一対の第三墨汁浸透部材４３とからなる。ケース本体１１側に保持された第一及び第三墨汁浸透部材４１，４３と、墨室カバー１３側に保持された第二墨汁浸透部材４２は、墨室カバー１３を閉塞した状態では、図５及び図６に示されるように、互いに密接衝合され、十分な量の墨汁を浸透保持できるようになっている。
【００２５】
図５及び図９に示されるように、第二墨汁浸透部材４２は墨室カバー１３に設けられた箱状のホルダ１３４に充填され、このホルダ１３４に突設された複数の掛止片１３４ａによって保持されている。また、第三墨汁浸透部材４３は、図５及び図８に示されるように、隔壁１１ｃ，１１ｄに形成された糸道スリット１１ｅ，１１ｆをそれぞれ墨室１０Ｂ側から覆うように形成されたホルダ１１ｇ，１１ｈにそれぞれ充填されている。また、図８に示されるように、第三墨汁浸透部材４３には、糸道スリット１１ｅ，１１ｆと対応するスリット４３ａが形成されている。
【００２６】
第一墨汁浸透部材４１は、図８に示されるように、上面に、隔壁１１ｃ，１１ｄの糸道スリット１１ｅ，１１ｆの間を結ぶ直線に沿って延びる糸道スリット４１ａが形成されている。また、この糸道スリット４１ａの両端に位置して、ホルダ１１ｇ，１１ｈと対応する凹部４１ｂ，４１ｃが形成され、更に、四方の角部のうち一箇所に、斜めにカットした切欠４１ｄが形成されている。この切欠４１ｄは、図４に示されるように、墨室１０Ｂへ第一墨汁浸透部材４１を装着した状態において、墨汁の注入を容易にするための注入隙間Ｇを確保するものである。
【００２７】
墨室カバー１３には円形孔が開設されていて、この円形孔には、ゴム材からなるキャップ１３５が密嵌されており、このキャップ１３５の内面には合成樹脂材からなる押圧部材１３６が取り付けられている。また、この押圧部材１３６の先端には、その押圧方向及び墨室１０Ｂ内での糸３の移動方向に対して略直交する方向に延びる金属製のピン１３７が取り付けられている。図５及び図９に示されるように、第二墨汁浸透部材４２が充填された箱状ホルダ１３４には、円筒状の開口部１３４ｂが形成されており、押圧部材１３６は、この開口部１３４ｂ内に、移動可能に挿入されている。
【００２８】
そして、墨室カバー１３を閉じた状態では、押圧部材１３６は、墨室１０Ｂにおける糸３の真上に位置しており、図１０及び図１１に示されるように、キャップ１３５を手指で押して凹ませることによって、押圧部材１３６を介してピン１３７が開口部１３４ｂ内を押し下げられ、第一墨汁浸透部材４１を押圧して圧縮し、この第一墨汁浸透部材４１における糸道スリット４１ａを通る糸３に強制的に押し付けるものである。手指による押し付けを解除すれば、押圧部材１３６及びピン１３７は、キャップ１３５の復元力によって復帰動作される。また、墨室カバー１３における円形孔の周囲は凹部１３ａとなっており、キャップ１３５は、この凹部１３ａ内にある。
【００２９】
図３に示されるように、ケース本体１１における糸導出端部１１Ｃと糸導出端部カバー１４は、漏斗状の糸導出孔１０Ｃを分担形成するものである。すなわち図２及び図４に示されるように、糸導出端部カバー１４の揺動端部（ヒンジ１４１と反対側の端部）には、ヒンジ１４２ａを介して掛合爪１４２が取り付けられており、この掛合爪１４２は、ケース本体１１における糸導出端部１１Ｃの外側面に形成された不図示の掛合凹部に掛合されることによって、糸導出端部カバー１４を糸導出端部１１Ｃの上面に衝合された状態に固定するものである。
【００３０】
ケース本体１１の糸導出端部１１Ｃには、糸導出孔１０Ｃから引き出した糸３を相手材に押し付けるための金属製の糸押え１５が、図３に示されるビス１６によって取り付けられている。
【００３１】
図３における参照符号５は、渦巻きばね２２の付勢力を調整するためのばねチャージ部である。このばねチャージ部５は、糸巻２の内周に同心的かつ相対回転可能な状態に組み込まれたばね芯５１と、ケース本体１１における糸巻収納部１１Ａの底壁の外部にばね芯５１と同心的に配置された円盤状のチャージハンドル５２と、前記底壁に開設された軸孔に挿通されたチャージハンドル５２の中心軸にビス５４で固定されたクラッチ部材５３と、チャージハンドル５２に設けられたレバー５５とを備える。
【００３２】
糸巻２に収納された渦巻きばね２２は、外周側の一端が糸巻２における糸巻本体２１に固定されると共に、内周側の他端が、ばね芯５１に固定されている。したがって、渦巻きばね２２は、糸巻２とばね芯５１の相対回転によって蓄勢又は弛緩するものである。
【００３３】
ばね芯５１の一端には円盤状のクラッチ盤５１ａが形成されており、クラッチ部材５３は、ケース本体１１における糸巻収納部１１Ａの底壁との間に圧縮状態に配置されたコイルスプリング５６によってクラッチ盤５１ａに押し付けられ、このクラッチ盤５１ａに対して、渦巻きばね２２の蓄勢方向にのみ掛合するワンウェイクラッチを構成している。
【００３４】
ばねチャージ部５のレバー５５は、チャージハンドル５２と、ケース本体１１における糸巻収納部１１Ａの底壁との間にあって、長手方向中間部分が、不図示の支点を中心としてシーソー運動可能な状態に支持されている。レバー５５の一端には、チャージハンドル５２の円周方向一箇所に開設された指掛け孔５２ａ内に露出した操作端部５５ａが形成されており、他端に、前記底壁側へ向けて突出した被係止部５５ｂが形成されており、この被係止部５５ｂとチャージハンドル５２との間にはコイルスプリング５７が適宜圧縮状態で配置されている。
【００３５】
一方、ケース本体１１における糸巻収納部１１Ａの底壁には、チャージハンドル５２をその中心軸の周りに回転させた時に、これと一体的に回転するレバー５５の被係止部５５ｂの軌跡と対応する円弧状に延び、糸巻２の巻き取り方向と反対の方向、言い換えれば渦巻きばね２２を弛緩させる方向の端部へ向かって漸次深くなり、その最深部が前記被係止部５５ｂと掛合可能な段差状を呈するスパイラル溝１１ｉが形成されている。
【００３６】
図４に示されるように、糸巻２の糸巻本体２１に巻回された糸３は、隔壁１１ｃの糸道スリット１１ｅから墨室１０Ｂにおける第一及び第三墨汁浸透部材４１，４３の糸道スリット４１ａ，４３ａ及び隔壁１１ｄの糸道スリット１１ｆを通って、糸導出孔１０Ｃからケース１の外部へ導出される。
【００３７】
ケース１の外部へ導出された糸３の先端には、図１２に示されるようなカルコ６が繋着されている。カルコ６は、基本的に、合成樹脂製の中空の柄６１と、この柄６１に一体的に、又は着脱自在に取り付けられた金属製の止着針６２とを備える。
【００３８】
上述の構成を備える墨壷は、その使用に際して、予め墨室１０Ｂ内の墨汁浸透部材４に墨汁を適宜含浸させておく。墨汁は、墨室カバー１３を開き、墨室１０Ｂ内に注入することによって、第一墨汁浸透部材４１に含浸させる。そして、墨室１０Ｂには、第一墨汁浸透部材４１の切欠４１ｄによって三角状の注入隙間Ｇが形成されているので、墨汁の注入を容易に行うことができる。
【００３９】
そして、この墨壷による墨打ち（線引き）作業においては、図１２に示されるように、まずカルコ６を、その止着針６２を相手材（木材）Ｗの表面における墨打ちの一方の起点に刺して止着する。
【００４０】
次に、ケース１を墨打ちの他方の起点へ向けて移動させると、糸巻２の回転を伴いながら、その糸巻本体２１に巻かれた糸３が、ケース１の移動距離分だけ引き出されて行く。この糸３は、墨室１０Ｂ内の第一及び第三墨汁浸透部材４１，４３の糸道スリット４１ａ，４３ａを通って引き出される過程で、この墨汁浸透部材４１，４３に摺接することによって墨汁が付着する。
【００４１】
また、糸巻２の糸巻本体２１は、糸３の引き出しに伴って回転されるのに対し、同方向へのばね芯５１の回転は、ワンウェイクラッチを構成するクラッチ部材５３とクラッチ盤５１ａの掛合によって阻止されるので、渦巻きばね２２が糸巻本体２１の回転に伴ってばね芯５１に巻き込まれ、蓄勢される。
【００４２】
ケース１を墨打ちの他方の起点まで移動させたら、このケース１から突出した糸押え１５の先端で糸３を相手材Ｗの表面に押止することによって、糸３をカルコ６との間に張設する。このとき、操作部１２４を手指でスライドさせることによって、糸巻本体２１の回転による被係止突起２４ａの移動経路上にロック部材１２３を進出させれば、このロック部材１２３が、被係止突起２４ａと干渉して糸巻２の糸繰り出し方向の回転を制止するので、糸３に十分な張力を与えることができる。そして、この糸３を相手材Ｗの表面に向けて指ではじいて打ち付ければ、糸３に付着している墨汁によって、直線状の墨線を転写することができる。
【００４３】
墨打ち作業終了後は、カルコ６を相手材Ｗから引き抜けば、糸３の引き出し過程で蓄勢された渦巻きばね２２の弛緩動作によって、糸巻２が巻き取り方向に回転するため、糸３は、カルコ６がケース１の糸導出端部１１Ｃ及び糸導出端部カバー１４による糸導出孔１０Ｃに半収納状態に係止されるまで、糸巻本体２１に自動的に巻き取られる。
【００４４】
カルコ６が糸導出孔１０Ｃに半収納状態に係止されるまで、糸３を糸巻本体２１に完全に巻き取った状態、あるいは図１２に示されるように糸３を張設した状態では、ばねチャージ部５によって、渦巻きばね２２の付勢力を任意に調整することができる。この調整においては、図３に示されるレバー５５の操作端部５５ａを、チャージハンドル５２の指掛け孔５２ａ内に手指を挿入して押圧し、このレバー５５をコイルスプリング５７の圧縮方向へ梃子運動させることにより、その被係止部５５ｂとスパイラル溝１１ｉの最深部との掛合を解除した状態で、前記手指によりチャージハンドル５２を渦巻きばね２２の蓄勢又は弛緩方向へ適宜回転させれば良い。
【００４５】
また、チャージハンドル５２の指掛け孔５２ａから手指を離せば、チャージハンドル５２が渦巻きばね２２の弛緩方向へ回転する過程で、レバー５５の被係止部５５ｂがコイルスプリング５７の付勢力によって再びスパイラル溝１１ｉの最深部と掛合され、弛緩方向へのチャージハンドル５２の回転が阻止される。
【００４６】
墨室１０Ｂ内の墨汁浸透部材４に含浸された墨汁の量が、墨打ち作業の繰り返し等によってある程度少なくなっても、糸３を繰り出す際に、手指でキャップ１３５を押圧することによって、明瞭な墨線を打つことができる。
【００４７】
すなわち、図１０及び図１１に示されるように、キャップ１３５を手指で押圧して凹ませると、このキャップ１３５を介して押圧部材１３６が下方へ押動されて、その先端のピン１３７が、糸３を墨室１０Ｂの底部へ向けて変位させると共に、第一墨汁浸透部材４１を圧縮変形させる。このとき、押圧部材１３６は、墨室カバー１３における箱状ホルダ１３４の筒状開口部１３４ｂ内を変位するので、筒状開口部１３４ｂの外周で箱状ホルダ１３４に保持された第二墨汁浸透部材４２は、押圧部材１３６に押圧されることはなく、第一墨汁浸透部材４１のみが圧縮変形を受ける。そして、第一墨汁浸透部材４１が圧縮されると、墨室１０Ｂの底部に偏在して第一墨汁浸透部材４１に含浸されていた墨汁は、この第一墨汁浸透部材４１の圧縮によって、上方へ滲み出すように押し上げられ、しかも、糸３が押し下げられることによって第一墨汁浸透部材４１に強制的に押し付けられる。その結果、糸３に墨汁を十分に付着させることができるのである。
【００４８】
また、墨室１０Ｂ内の第一墨汁浸透部材４１に多量の墨汁が含浸されている場合は、過ってキャップ１３５を手指で押圧すると、従来の墨壷では、糸導出孔１０Ｃからの墨漏れが発生していたが、図示の形態によれば、このようなことが有効に防止される。
【００４９】
すなわち、先に説明したように、押圧部材１３６は、第一墨汁浸透部材４１のみを圧縮変形させるようになっており、しかもピン１３７による押圧面積が小さいので、図１０及び図１１に示されるように、第一墨汁浸透部材４１は、上面がすり鉢状に凹むような圧縮変形を受け、その上面の一部が、墨室カバー１３側の第二墨汁浸透部材４２と衝合された状態となっている。このため、圧縮によって第一墨汁浸透部材４１の上方へ滲み出すように押し上げられた墨汁の一部は、非圧縮の第二墨汁浸透部材４１に含浸されることになり、これによって、糸道スリット１１ｅ，１１ｆ側への墨汁の移動が抑えられ、墨漏れの防止に寄与する。
【００５０】
また、第一墨汁浸透部材４１は、上から押圧されることによって、図１０に示されるように、外側面（凹部４１ｂ，４１ｃに相当する部分）が内側へ倒れるように変形するが、そこから滲み出した墨汁は、糸道スリット１１ｅ，１１ｆへ直ちに流出することはなく、糸道スリット１１ｅ，１１ｆを覆うようにホルダ１１ｇ，１１ｈ内に配置された非圧縮の第三墨汁浸透部材４３に含浸される。したがって、この第三墨汁浸透部材４３によっても、墨漏れが有効に防止される。
【００５１】
また、従来のように、糸を挟み込んだ二枚の墨汁浸透部材を、その上から押圧部材によって圧縮した場合は、糸との摩擦によって墨汁浸透部材が徐々に切れてしまうことが避けられないが、図示の形態によれば、墨室カバー１３側の第二墨汁浸透部材４２は押圧部材１３６の押し下げによる圧縮を受けず、押圧部材１３６を押し下げたときの糸３の張力を、ピン１３７で受けるため、第二墨汁浸透部材４２などが切れてしまうことがない。
【００５２】
キャップ１３５を押圧しても糸３への墨汁の十分な付着量が得られなくなった場合は、先に説明したように墨室カバー１３を開き、第一墨汁浸透部材４１に墨汁を補充する。
【００５３】
なお、第三墨汁浸透部材４３は、必ずしもホルダ１１ｇ，１１ｈ内に充填した構造とする必要はなく、すなわち、第三墨汁浸透部材４３を、第一墨汁浸透部材４１の両側に密接した状態に配置しても良い。この場合も、キャップ１３５を押した時に、押圧部材１３６（ピン１３７）によって第一墨汁浸透部材４１のみが圧縮変形され、両側の第三墨汁浸透部材４３が糸道スリット１１ｅ，１１ｆを覆うように存在しているので、墨漏れが有効に防止される。
【図面の簡単な説明】
【００５４】
【図１】本発明に係る墨壷の好ましい実施の形態を示す平面図である。
【図２】図１におけるII方向の側面図である。
【図３】図１におけるIII−III’断面図である。
【図４】図１の墨壷における糸巻カバー、墨室カバー及び糸導出端部カバーを開いた状態を示す平面図である。
【図５】図３の要部拡大断面図である。
【図６】図２におけるVI−VI’断面図である。
【図７】図４におけるVII−VII’断面図である。
【図８】第一及び第三墨汁浸透部材の装着構造を示す斜視図である。
【図９】第二墨汁浸透部材の装着構造を示す斜視図である。
【図１０】押圧部材を押し下げた状態を図５と対応する部分を切断して示す断面図である。
【図１１】押圧部材を押し下げた状態を図６と対応する部分を切断して示す断面図である。
【図１２】使用状態の説明図である。
【符号の説明】
【００５５】
１  ケース
１０Ａ  糸巻室
１０Ｂ  墨室
１０Ｃ  糸導出孔
１１  ケース本体
１１ｅ，１１ｆ  糸道スリット（糸挿通部）
１２  糸巻カバー
１３  墨室カバー
１３５  キャップ
１３６  押圧部材
１３７  ピン
２  糸巻
３  糸
４  墨汁浸透部材
４１  第一墨汁浸透部材
４２  第二墨汁浸透部材
４３  第三墨汁浸透部材
５  ばねチャージ部
６  カルコ
【図１】
2006212761.tif 000003
【図２】
2006212761.tif 000004
【図３】
2006212761.tif 000005
【図４】
2006212761.tif 000006
【図５】
2006212761.tif 000007
【図６】
2006212761.tif 000008
【図７】
2006212761.tif 000009
【図８】
2006212761.tif 000010
【図９】
2006212761.tif 000011
【図１０】
2006212761.tif 000012
【図１１】
2006212761.tif 000013
【図１２】
2006212761.tif 000014
【手続補正書】
【提出日】平成17年3月28日(2005.3.28)
【手続補正１】
【補正対象書類名】図面
【補正対象項目名】全図
【補正方法】変更
【補正の内容】
【図１】
2006212761.tif 000015
【図２】
2006212761.tif 000016
【図３】
2006212761.tif 000017
【図４】
2006212761.tif 000018
【図５】
2006212761.tif 000019
【図６】
2006212761.tif 000020
【図７】
2006212761.tif 000021
【図８】
2006212761.tif 000022
【図９】
2006212761.tif 000023
【図１０】
2006212761.tif 000024
【図１１】
2006212761.tif 000025
【図１２】
2006212761.tif 000026